(57)【要約】【課題】測定流路を流れる被測定流体の実際の流速や流量に周期的な変動が生じた場合でも、被側流体の流量計測精度が低下してしまうのを抑制し、流量計測精度の向上をはかる。【解決手段】一対の超音波送受信器３０-ｍａ・３０-ｍｂ間で送信側と受信側とを双方で変更して超音波ビームの送受信を行って被測定流体の流量Ｑを計測する流量計測処理を繰り返し行うために規定された計測周期ｔｋについて、その計測周期ｔｋの開始タイミングが、それ以前の計測周期に対して不連続となるように、超音波流量計における計測周期ｔｋの繰り返し途中で、計測周期ｔｋの開始タイミングをずらす【選択図】図１
2014092466.tif 000002
【特許請求の範囲】
【請求項１】
被測定流体が流れる測定流路に、被測定流体の流れ方向に沿って互いの位置をずらして設けられた一対の超音波送受信器と、
該一対の超音波送受信器間で送信側と受信側とを双方で変更して超音波ビームの送受信を行い、被測定流体の流れ方向に対して順方向及び逆方向それぞれの超音波ビームの伝搬時間を計測して両伝搬時間から被測定流体の流量を演算する流量計測手段と
を備えた超音波流量計であって、
前記流量計測手段により前記一対の超音波送受信器間での順方向又は逆方向のいずれかの超音波ビームの送受信を手始めに開始される流量計測処理を、前記流量計測手段に対し、予め定められた所定周期間隔で繰り返し行わせる一方、
前記流量計測手段によって前記流量計測処理が前記所定周期間隔で予め定められた所定回数行われたときには、前記流量計測手段に対し、前記所定周期間隔とは異なる時間インターバルを置いて前記流量計測処理を前記所定周期間隔で繰り返し行わせ、当該時間インターバルの前後で、前記流量演算手段に前記所定周期間隔で行わせる流量計測処理のタイミングをずらす計測間隔調整手段
を備えていることを特徴とする超音波流量計。
【請求項２】
前記時間インターバルは、前記所定周期間隔の整数倍とは異なる時間間隔に設定されていることを特徴とする請求項１に記載の超音波流量計。
【請求項３】
前記時間インターバルは、前記所定周期間隔よりも短い時間間隔に設定されていることを特徴とする請求項２に記載の超音波流量計。
【発明の詳細な説明】
【技術分野】
【０００１】
本発明は、被測定流体が流れる流路に設けた一対の超音波送受信器間で、送信側と受信側とを双方で変更して被測定流体の流れを横切るようにして超音波ビームの送受信を行い、双方の超音波の伝搬状態の相違を基に被測定流体の流量を計測する超音波流量計に関する。
【背景技術】
【０００２】
例えば、都市ガス等のような被測定流体の流量測定は、被測定流体が流れる測定管の管壁に上流側と下流側とで互いの位置をずらして超音波送受信器（トランスデューサ）からなる超音波センサを配置し、この一対の上流側及び下流側の超音波送受信器間で送信側と受信側とを双方で変更して被測定流体の流れを横切るようにして超音波ビームを送受信することによって、一対の超音波送受信器間での被測定流体の流れに沿った超音波ビームの伝搬時間と被測定流体の流れに逆らった超音波ビームの伝搬時間とをそれぞれ計測し、双方の伝搬時間の差分から被測定流体の流速を求め、さらにこの求めた流速と測定管の流路断面積とから流体の体積流量を求めることによって行われている。
【０００３】
図７は、超音波ビームを用いた超音波流量計による流量測定方式の説明図である。
【０００４】
図示の例では、超音波流量計１０１は、被測定流体が流れる測定流路１２１が貫通形成された測定管部１１１の管壁に、一対の超音波送受信器１３０-ａ・１３０-ｂが、測定管部１１１の管軸方向、すなわち測定流路１２１における被測定流体の流れ方向に互いの位置をずらして、測定流路１２１を挟んで互いが対向するように配置された構成になっている。これにより、一対の上流側の超音波送受信器１３０-ａと下流側の超音波送受信器１３０-ｂとの間には、被測定流体を介した、直線状の直接伝搬路からなる超音波伝搬路１３５が形成され、超音波伝搬路１３５は、被測定流体の流れ方向に沿った測定管部１１１の管軸方向と、角度θで交差する。
【０００５】
ここで、
Ｌ；超音波ビームの伝搬する距離、
Ｃ；音速、 
とすると、被測定流体の流れが生じていないときは、上流側の超音波送受信器１３０-ａから送出された超音波ビームが下流側の超音波送受信器１３０-ｂに伝搬する時間Ｔabと、下流側の超音波送受信器１３０-ｂから送出された超音波ビームが上流側の超音波送受信器１３０-ａに伝搬する時間Ｔbaとは、送・受信側の変更で超音波ビームの伝搬方向が逆になっても被測定流体を介した超音波伝搬状態に変わりがないので、式(1)に示した関係が成り立つ。
【０００６】
【数１】
2014092466.tif 000003
【０００７】
これに対し、例えば上流側から下流側へ被測定流体の流れが生じている場合は、この流れの影響を受け、被測定流体を介した超音波ビームの伝搬状態は、送・受信側の変更で超音波ビームの伝搬方向の相違に応じて変化する。この場合は、上流側の超音波送受信器１３０-ａから送出された超音波ビームが下流側の超音波送受信器１３０-ｂに伝搬する時間Ｔabは、被測定流体の流れが生じていないときの式(1)で示した時間Ｌ/Ｃよりも短くなり、下流側の超音波送受信器１３０-ｂから送出された超音波ビームが上流側の超音波送受信器１３０-ａに伝搬する時間Ｔbaは、被測定流体の流れが生じていないときの式(1)で示した時間Ｌ/Ｃよりも長くなる。
【０００８】
ここで、上流側から下流側へ被測定流体の流れが生じているとき、
Ｖ；被測定流体の流速（超音波送受信器１３０-ａ・１３０-ｂ間の流路上での被測定流体の平均流速）
θ；超音波送受信器１３０-ａ，１３０-ｂの設置角度、
とすると、式(2)，式(3)に示す関係が成り立つ。
【０００９】
【数２】
2014092466.tif 000004
【００１０】
そして、これら伝搬時間Ｔab，Ｔbaの逆数差（周波数差）を得ることにより、被測定流体の流速Ｖは、式(4)に示すように計測される。
【００１１】
【数３】
2014092466.tif 000005
【００１２】
さらに、この流速Ｖに、測定管部１１１の管路断面積（流路断面積）Ａと、補正係数Ｋを乗じることにより、測定管部１１１を流れる被測定流体の体積流量Ｑが、式(5)に示すように計測される。
【００１３】
【数４】
2014092466.tif 000006
【００１４】
この場合、上述した伝搬時間Ｔab，Ｔbaそれぞれの計測に基づく被測定流体の流速Ｖや流量Ｑの計測は、超音波流量計１０１に備えられた演算制御装置によって、予め設定された所定の計測周期ｔｋ毎に行われる。その際、各計測周期ｔｋにおける伝搬時間Ｔab，Ｔbaは、演算制御装置から一対の超音波送受信器１３０-ａ・１３０-ｂの中の送信側となるいずれか一方の超音波送受信器１３０への超音波ビーム送信信号Ｓｔの出力タイミングと、この超音波送信信号Ｓｔを受信した、一対の超音波送受信器１３０-ａ・１３０-ｂの中の受信側となるいずれか他方の超音波送受信器１３０から供給される超音波ビーム受信信号Ｓｒの演算制御装置における入力タイミングとの時間差で計測される。
【先行技術文献】
【特許文献】
【００１５】
【特許文献１】特開平１１−２０１７９１号公報（特許第３２１７０２１号）
【特許文献２】特開２０１１−８５５００号公報
【特許文献３】特開２０１０−６６０６８号公報
【発明の概要】
【発明が解決しようとする課題】
【００１６】
ところで、上述した超音波流量計１０１に係り、測定管部１１１を流れる被測定流体の実際の流量Ｑｑに周期的な変動が生じている状況で、前述した伝搬時間Ｔab，Ｔbaの計測周期ｔｋ、すなわち被測定流体の流速Ｖや流量Ｑの計測周期ｔｋに対して、実際の流速Ｖｖや流量Ｑｑに生じている変動周期ｔｈが偶然に一致したり又は逓倍状態になって同期してしまった場合は、一対の超音波送受信器１３０-ａ・１３０-ｂ間の被測定流体の流速Ｖを、実際の被測定流体の流速Ｖｖよりも高い流速、或いは低い流速で計測してしまうことが起こり、被測定流体の流量Ｑを、実際の被測定流体の流量Ｑｑよりも高い流量、或いは低い流量で計測してしまう、という問題があった。
【００１７】
図８は、超音波流量計による被測定流体の流速や流量の計測周期に対して、被測定流体の実際の流量に周期的な変動が生じている場合の説明図である。
【００１８】
図８では、測定管部１１１を流れる被測定流体の実際の流速Ｖｖの周期的な変動の一例を、縦軸に流速Ｖ、横軸に時間ｔをとって表わしたものである。
【００１９】
図示の例では、便宜的に、測定管部１１１を流れる被測定流体の実際の流速Ｖｖが、所定の変動周期ｔｈで正弦波状に変動するものとして表わされている。さらに、図示の例では、測定管部１１１を流れる被測定流体の正弦波状に変動する実際の流速Ｖｖの変動周期ｔｈが、超音波流量計１０１の予め設定されている被測定流体の流速Ｖの計測周期ｔｋに対し、２倍の逓倍状態になっている状態が表わされている。
【００２０】
超音波流量計１０１では、計測周期ｔｋ毎に、一対の上流側及び下流側の超音波送受波器１３０-ａ・１３０-ｂ間で送信側と受信側とを双方で変更して被測定流体の流れを横切るようにして超音波ビームを送受信することによって、式(4)に示したように、被測定流体の流速Ｖが計測される。そして、超音波流量計１０１では、計測周期ｔｋ毎に、この計測流速Ｖを基に、被測定流体の流量Ｑが計測される。
【００２１】
ところが、図示の例のように、測定管部１１１を流れる被測定流体の実際の流速Ｖが所定の変動周期ｔｈで正弦波状に変動し、その変動周期ｔｈが計測周期ｔｋに対して逓倍状態（図示の例では、２倍状態）になって同期している場合は、被測定流体の流速Ｖの計測タイミング、すなわち一対の上流側及び下流側の超音波送受波器１３０-ａ・１３０-ｂ間で送信側と受信側とを双方で変更して超音波ビームを送受信するタイミングｔｍ１，ｔｍ２，ｔｍ３の違いによって、その計測流速Ｖｋは、Ｖｋ１，Ｖｋ２，Ｖｋ３のように、流速Ｖの変動を平均化した場合の被測定流体の実際の流速Ｖｖとそれぞれ異なる値になってしまう。そのため、計測タイミングｔｍ１，ｔｍ２では、被測定流体の流量Ｑを被測定流体の実際の流量Ｑｑよりも高い流量で計測してしまうことになってしまい、計測タイミングｔｍ３では、被測定流体の流量Ｑを被測定流体の実際の流量Ｑｑよりも低い流量で計測してしまうことになってしまう。
【００２２】
この結果、測定管部１１１を流れる被測定流体の実際の流速Ｖｖや流量Ｑｑに周期的な変動が生じ、その変動周期ｔｈが計測周期ｔｋと偶然に一致したり、又は計測周期ｔｋの逓倍状態になって、両者が同期するようになってしまった場合は、被測定流体の流量計測精度が低下するという問題点があった。
【００２３】
本発明はこのような問題点を鑑みなされたものであって、測定流路を流れる被測定流体の実際の流速や流量に周期的な変動が生じ、その変動周期が計測周期と偶然に一致したり、又は計測周期の逓倍状態になって、両者が同期するような場合でも、被測定流体の流量計測精度が低下してしまうのを抑制し、流量計測精度の向上をはかった超音波流量計を提供することを目的とする。
【課題を解決するための手段】
【００２４】
本発明は、上述した課題を解決するために、一対の超音波送受信器間で送信側と受信側とを双方で変更して超音波ビームの送受信を行って被測定流体の流量を計測する流量計測処理を繰り返し行うために規定された計測周期について、その計測周期の開始タイミングが、それ以前の計測周期に対して不連続となるように、超音波流量計における計測周期の繰り返し途中で、計測周期の開始タイミングをずらすことを特徴とする。
【００２５】
本発明に係る超音波流量計は、被測定流体が流れる測定流路に、被測定流体の流れ方向に沿って互いの位置をずらして設けられた一対の超音波送受信器と、一対の超音波送受信器間で送信側と受信側とを双方で変更して超音波ビームの送受信を行い、被測定流体の流れ方向に対して順方向及び逆方向それぞれの超音波ビームの伝搬時間を計測して両伝搬時間から被測定流体の流量を演算する流量計測手段とを備えた超音波流量計であって、流量計測手段により一対の超音波送受信器間での順方向又は逆方向のいずれかの超音波ビームの送受信を手始めに開始される流量計測処理を、流量計測手段に対し、予め定められた所定周期間隔で繰り返し行わせる一方、流量計測手段によって流量計測処理が所定周期間隔で予め定められた所定回数行われたときには、流量計測手段に対し、所定周期間隔とは異なる時間インターバルを置いて流量計測処理を所定周期間隔で繰り返し行わせ、当該時間インターバルの前後で、流量演算手段に所定周期間隔で行わせる流量計測処理のタイミングをずらす計測間隔調整手段を備えていることを特徴とする。
【発明の効果】
【００２６】
本発明に係る超音波流量計によれば、測定流路を流れる被測定流体の実際の流速や流量に変動が生じている場合であっても、その変動周期に対して計測周期を適宜ずらしながら被測定流体の流量を計測することができるので、被測定流体の流量脈動による流量をより正確に計測することができる。
【００２７】
上記した以外の、課題、構成及び効果は、以下の実施の形態の説明により明らかにされる。
【図面の簡単な説明】
【００２８】
【図１】本発明の一実施の形態に係る超音波流量計の全体構成図である。
【図２】図１に示した超音波流量計における流量計本体の構成説明図である。
【図３】図１，図２に示した超音波流量計のIII-III矢視方向の断面図である。
【図４】図１に示した超音波流量計の平面図である。
【図５】本実施の形態に係る超音波流量計において行われる流量計測演算処理の実施例のフローチャートである。
【図６】本実施の形態に係る超音波流量計を、被測定流体の実際の流量が周期的な変動を生じている状態に適用した場合の説明図である。
【図７】超音波ビームを用いた超音波流量計による流量測定方式の説明図である。
【図８】超音波流量計による被測定流体の流速や流量の計測周期に対して、被測定流体の実際の流量が周期的な変動を生じている場合の説明図である。
【発明を実施するための形態】
【００２９】
本発明に係る超音波流量計の一実施の形態について、図面に基づいて説明する。
【００３０】
図１は、本実施の形態に係る超音波流量計の全体構成図である。
【００３１】
図２は、図１に示した超音波流量計における流量計本体の構成説明図である。
【００３２】
図３は、図１，図２に示した超音波流量計のIII-III矢視方向の断面図である。
【００３３】
図４は、図１に示した超音波流量計の平面図である。
【００３４】
図１及び図２に示すように、本実施の形態に係る超音波流量計１は、被測定流体が流れる測定流路２１-ｍが形成され、少なくとも一対の超音波送受信器（超音波センサ）３０-ｍａ・３０-ｍｂが測定流路２１-ｍの上流側と下流側とで互いの位置をずらして配置された流量計本体１０と、この一対の超音波送受信器３０-ｍａ・３０-ｍｂ間で送信側と受信側とを双方で変更して被測定流体の流れを横切るようにして超音波ビームの送受信を行わせ、その際における超音波ビームの伝搬時間Ｔab，Ｔbaを基に被測定流体の流量を計測する演算制御装置６０と、を有する構成になっている。
【００３５】
流量計本体１０は、図２に示すように、測定流路２１-ｍが形成された測定管部１１と、測定流路２１-ｍの延設方向に該当する測定管部１１の管軸方向（Ｘ軸方向）の両端それぞれに一体的に固設され、流量計本体１０の管軸方向（Ｘ軸方向）に係る一対の軸方向端面１０ａ，１０ｂを形成する蓋体継手部１２，１２とを有する。
【００３６】
測定管部１１は、図２，図３に示すように、その長軸方向（Ｘ軸方向）に沿って、内部に少なくとも１つの貫通孔２０が形成された構成になっている。測定管部１１の長軸方向の両端面１１ａ，１１ｂは、この貫通孔２０の開口端面になっている。
【００３７】
図示の例では、測定管部１１は、その外郭形状が直方体形状になっており、貫通孔２０として、互いに区画された４つの貫通孔２０-１，２０-２，２０-３，２０-４が、その筐体の長軸方向（Ｘ軸方向）に沿って延び、各貫通孔２０-１，２０-２，２０-３，２０-４同士は、仕切り壁部１４-１，１４-２，１４-３によって、互いに区画されている。
【００３８】
４つの貫通孔２０-１，２０-２，２０-３，２０-４は、孔軸（Ｘ軸）に垂直な孔断面の形状が共に矩形形状であって、孔断面の長辺部分の長さは互いに等しくなっている。また、４つの貫通孔２０-１，２０-２，２０-３，２０-４は、それぞれの長さが等しい孔断面の長辺部分を測定管部１１の筐体高さ方向（Ｚ軸方向）に沿って平行になるようにし、それぞれの孔断面の短辺部分同士を測定管部１１の筐体幅方向（ｙ軸方向）に沿って一直線上になるようにして列設されている。
【００３９】
加えて、測定管部１１の筐体幅方向（ｙ軸方向）に係り、両端の貫通孔２０-１，２０-４同士は、孔断面の短辺部分も同じ長さになっており、同一の孔断面形状を有している。同様に、貫通孔２０-１と２０-４との間の貫通孔２０-２，２０-３同士も、孔断面の短辺部分も同じ長さになっており、同一の孔断面形状を有している。
【００４０】
このような４つの貫通孔２０-１，２０-２，２０-３，２０-４が開口する、測定管部１１の一対の端面１１ａ，１１ｂそれぞれに対して、蓋体継手部１２，１２は気液密に一体的に接合固定されて、流量計本体１０の、測定流路が開口する軸方向端面１０ａ，１０ｂを形成する。
【００４１】
蓋体継手部１２，１２は、測定管部１１の一対の端面１１ａ，１１ｂと相似形で、端面１１ａ，１１ｂよりも幅方向（ｙ軸方向）及び高さ方向（Ｚ軸方向）の大きさが大きな盤状部になっている。各蓋体継手部１２の盤面中央には、測定管部１１の貫通孔２０-２，２０-３の端部開口と位置を合わせて、幅方向（ｙ軸方向）及び高さ方向（Ｚ軸方向）の寸法を合わせた矩形状の孔部１５が、盤面表裏を貫通するように形成されている。蓋体継手部１２，１２は、孔部１５を貫通孔２０-２又は２０-３の端部開口に合わせて、測定管部１１の端面１１ａ，１１ｂに気液密に接合固定されている。
【００４２】
これにより、測定管部１１の貫通孔２０-２，２０-３それぞれに連通した蓋体継手部１２の孔部１５が、流量計本体１０に対する被測定流体の流入口又は流出口になり、測定管部１１の貫通孔２０-２，２０-３それぞれは、流量計本体１０の、被測定流体が流れる流路断面が矩形状の２つの測定流路２１-１，２１-２（２１-ｍ、ただしｍ＝１，２）になる。
【００４３】
ここで、測定流路２１-１，２１-２の流路断面を形成する貫通孔２０-２，２０-３それぞれの矩形状の孔断面の短辺（孔幅）と長辺（孔高さ）とのアスペクト比は、層流、遷移域、乱流にまたがって被側流体の流量測定を行う場合であっても、補正係数Ｋが大きく変化しにくい値、具体的には１：２以上に設定されている。
【００４４】
一方、測定管部１１の貫通孔２０-１，２０-４それぞれは、この蓋体継手部１２，１２の接合固定によって、それぞれの端部開口が蓋体継手部１２の孔部１５周りの盤部分によって気密に施蓋されて、流量計本体１０の内部に、測定流路２１-１，２１-２それぞれと仕切り壁部１４-１，１４-３を介在させて隣接する均圧空間室２２-１，２２-２を画成する。
【００４５】
これに伴い、仕切り壁部１４-１，１４-３には、予め、流入管部１０が接続される側の被測定流体の流入側に位置させて、測定流路２１-１，２１-２と均圧空間室２２-１，２２-２との間を連通するための連通孔（圧力導入路）１９-１，１９-２が形成されている。連通孔１９-１，１９-２の孔径は、各測定流路２１-１，２１-２を流動する被測定流体の流動方向を大きく変化させることがない程度の大きさになっている。また、測定流路２１-１，２１-２と均圧空間室２２-１，２２-２とを画成する仕切り壁部１４-１，１４-３の壁厚も、貫通孔２０-１〜２０-４からなる貫通孔群周囲の、測定管部１１の外郭部の壁厚に比して薄くなっている。
【００４６】
これにより、測定流路２１-１，２１-２を流れる被測定流体の圧力が変化しても、貫通孔２０-１，２０-４により形成された均圧空間室２２-１，２２-２には、連通孔（圧力導入路）１９-１，１９-２を介して被測定流体が導入又は導出され、その室圧は、測定流路２１-１，２１-２を流れる被測定流体の圧力と同圧状態になるように追従変化する。したがって、測定流路２１-１，２１-２を流れる被測定流体の圧力が高圧になっても、測定流路２１-１，２１-２を構成する貫通孔２０-２，２０-３は、この均圧空間室２２-１，２２-２を形成する貫通孔２０-１，２０-４によって仕切り壁部１４-１，１４-３を介して同圧で支持されるので、貫通孔２０-２，２０-３の孔断面が膨張してしまい、測定流路２１-１，２１-２それぞれの流路面積が増大変化してしまうことを抑制できる。この結果、被測定流体の圧力の相違による体積流量Ｑの測定器差を小さくして、測定流路２１-１，２１-２を流動する被測定流体の体積流量Ｑの計測精度を向上させることができる。
【００４７】
また、蓋体継手部１２、１２の測定管部１１の外周面から膨出した盤部分は、流量計本体１０の測定流路２１-１，２１-２が開口する軸方向端面１０ａ，１０ｂに、被測定流体出入管部５０を取付固定するためのフランジ部１６になる。フランジ部１６には、被測定流体出入管部５０を流量計本体１０に締結する締結部材１７の取付孔１８が形成されている。
【００４８】
その上で、図２，図３，図４に示すように、測定流路２１-１，２１-２となる貫通孔２０-２，２０-３が形成された測定管部１１の外壁には、貫通孔２０-２，２０-３毎に、貫通孔２０を通過して流動する被測定流体の流量を計測するための一対の超音波送受信器３０-ｍａ・３０-ｍｂ（この場合、ｍ＝１，２）が設けられている。隣り合う各対の超音波送受信器３０-１ａ・３０-１ｂ，３０-２ａ・３０-２ｂ同士は、その設置位置を被測定流体の流れ方向に該当する測定流路２１-１，２１-２の管軸方向に沿ってずらして設けられている。
【００４９】
図示の例では、測定管部１１の筐体高さ方向（ｚ軸方向）の上方側の管壁部１１ｕに、測定流路２１-１の貫通孔２０-２に対応させて、一対の超音波送受信器３０-１ａ・３０-１ｂが、貫通孔２０-２の延設方向である管軸方向（Ｘ軸方向）に沿って所定間隔だけ離間して配置されている。同様に、測定流路２１-２の貫通孔２０-３に対応させて、一対の超音波送受信器３０-２ａ・３０-２ｂが、貫通孔２０-３の延設方向でもある管軸方向（Ｘ軸方向）に沿って所定間隔だけ離間して配置されている。
【００５０】
超音波送受信器３０-１ａ・３０-１ｂ，３０-２ａ・３０-２ｂの各対それぞれでは、一方の超音波送受信器３０-ｍａ（この場合、ｍ＝１，２）から送信された超音波ビームを、一方及び他方の超音波送受信器３０-ｍａ，３０-ｍｂの送受信面を臨ませた測定流路２１ｍの孔壁天面２０ｕと対向する孔壁底面２０ｄで反射させ、他方の超音波送受信器３０-ｍｂで受信することによって、被測定流体を介した超音波伝搬時間をＶ字反射方式で測定する。
【００５１】
そのため、各対の超音波送受信器３０-ｍａ・３０-ｍｂは、測定管部１１の上方側の管壁部１１ｕに突出形成された筒状のセンサ支持部３１-ｍａ・３１-ｍｂによって、超音波ビームのＶ字状反射伝搬経路を形成するため、貫通孔２０（この場合、貫通孔２０-２，２０-３）の内壁底面２０ｄを反射面として、超音波送受信器３０-ｍａ・３０-ｍｂそれぞれの送受信面を、反射面２０ｄに立てた貫通孔２０-２，２０-３の孔高さ方向（ｙ軸方向）に延びる垂線に対して、互いの超音波の送受信方向が交差するように適宜傾斜させて保持されている。
【００５２】
これに伴い、図３に示すように、各対の筒状のセンサ支持部３１-ｍａ・３１-ｍｂが形成された部分の貫通孔２０-２，２０-３の孔壁天面２０ｕには、各対の超音波送受信器３０-ｍａ・３０-ｍｂの、超音波ビームが通過する伝搬開口部３２が形成されている。ここで、各対の筒状のセンサ支持部３１-ｍａ・３１-ｍｂに保持された各超音波送受信器３０-ｍａの送受信面の幅、及び対応する貫通孔２０の孔幅方向（ｙ軸方向）に沿った伝搬開口部３２の開口幅の大きさは、その対応する貫通孔２０の孔幅と略等しくなっている。また、伝搬開口部３２の孔軸方向（Ｘ軸方向）に沿った長さは、伝搬する超音波ビームの波長の所定倍（例えば１０倍）以上であるとともに、その対応する貫通孔２０の孔幅の所定倍（例えば２倍）以下になっている。これにより、層流、遷移域、乱流にまたがって被側流体の流量測定を行う場合であっても、補正係数Ｋが大きく変化しにくくなっている。
【００５３】
また、貫通孔２０-２に対して配置された超音波送受信器３０-１ａ・３０-１ｂの対と、貫通孔２０-３に対して配置された超音波送受信器３０-２ａ・３０-２ｂの対とは、各対間で超音波送受信器３０が貫通孔２０の孔幅方向（ｙ軸方向）に沿って重なり配置されないように、貫通孔２０の孔軸方向（Ｘ軸方向）に沿ってずらして配置されている。これにより、流量計本体１０の管軸方向に垂直な筐体幅方向（ｙ軸方向）の大きさの小型化をはかるとともに、測定流路２１-１，２１-２を分ける貫通孔２０-２，２０-３間の仕切り壁部１４-２の薄厚化をはかることができる。
【００５４】
被測定流体出入管部５０ａ，５０ｂは、流量計本体１０の測定流路２１-１，２１-２に対し被測定流体を導入又は導出するもので、出入管部５１と、この出入管部５１の管軸方向の両端それぞれに一体的に固設され、被測定流体出入管部５０の管軸方向の端部を構成する取付開口部５２，５３とを有する構成になっている。
【００５５】
出入管部５１には、被測定流体の流れを導くための貫通孔５４が形成されている。貫通孔５４は、その孔軸方向である出入管部５１の管軸方向に沿って、孔軸に垂直な孔断面の形状が円形形状から矩形形状に変形する構成になっている。
【００５６】
取付開口部５２は、被測定流体を移送する配管への取付面を形成する円盤部で、盤面中央は、孔断面の形状が円形形状に変化した貫通孔５４の一端側開口が形成されている。出入管部５１の外周面から膨出する盤部分には、配管に締結するための締結部材が取り付けられる締結孔５５が形成されている。
【００５７】
取付開口部５３は、流量計本体１０の軸方向端面１０ａ，１０ｂへ被測定流体出入管部５０を固定するための取付面を形成する矩形状盤部で、盤面中央は、孔断面の形状が矩形形状に変化した貫通孔５４の他端側開口が形成されている。取付開口部５３の貫通孔は、流量計本体１０の蓋体継手部１２に形成された矩形状の孔部１５と位置を合わせて、孔断面の幅方向（ｙ軸方向）及び高さ方向（Ｚ軸方向）の寸法が孔部１５と同じになっている。取付開口部５２の場合と同様に、出入管部５１の外周面から膨出する盤部分には、流量計本体１０の蓋体継手部１２に締結するための締結部材１７が取り付けられる締結孔５６が形成されている。
【００５８】
また、図示の例では、被測定流体出入管部５０ａ，５０ｂの中、被測定流体の流入側に配置される被測定流体出入管部５０ａは、図４に示すように、被測定流体の流出側に配置される被測定流体出入管部５０ｂに対して、出入管部５１の管軸方向（Ｘ軸方向）寸法が長くなっている。これにより、流量計本体１０に流入する被測定流体の流速を含めた流れ状態の変化を穏やかにして、流量計本体１０の測定流路２１-１，２１-２内で、被測定流体の流れ状態の変動を生じさせにくくになっている。
【００５９】
被測定流体の流量測定に当たって、流量計本体１０は、流量計本体１０の管軸方向の両端面１０ａ，１０ｂそれぞれに被測定流体出入管部５０ａ，５０ｂを接続固定した状態で、被測定流体の移送配管に対して接続配置される。
【００６０】
一方、演算制御装置６０は、流量計本体１０に設けられた超音波送受信器３０-１ａ・３０-１ｂ間、３０-２ａ・３０-２ｂ間それぞれで、送信側の超音波送受信器と受信側の超音波送受信器とを各対の超音波送受信器双方で変更するようにして、測定流路２１-１，２１-２に所在する被測定流体を伝搬媒体にして超音波ビームの送受信を行う。そのため、各対の超音波送受信器３０-１ａ・３０-１ｂ，３０-２ａ・３０-２ｂは、図１に示すように、演算制御装置６０と信号線接続され、演算制御装置６０から各対の超音波送受信器３０-１ａ・３０-１ｂ，３０-２ａ・３０-２ｂには、超音波ビーム送信のためのセンサ駆動信号Ｓtが出力され、各対の超音波送受信器３０-１ａ・３０-１ｂ，３０-２ａ・３０-２ｂから演算制御装置６０には、超音波受信信号Ｓrが入力される。
【００６１】
演算制御装置６０は、流量計測演算回路７０と、積算流量演算回路８０と、表示器駆動制御回路９０とを有する。また、演算制御装置６０には、表示器１００が接続されて設けられている。
【００６２】
流量計測演算回路７０は、予め定められた計測周期ｔｋ間隔で、超音波送受信器３０-１ａ・３０-１ｂ間、及び超音波送受信器３０-２ａ・３０-２ｂ間それぞれで、送信側と受信側とを双方で変更して被測定流体の流れを横切るようにして超音波ビームの送受信を行って、測定流路２１-１，２１-２毎の被測定流体の流れ方向に対して順方向及び逆方向それぞれの超音波ビームの伝搬時間Ｔab，Ｔbaを計測し、測定流路２１-１，２１-２それぞれを流れる被測定流体の流量Ｑ１，Ｑ２を演算して、測定流路２１-１，２１-２を備えた流量計本体１０の測定流路２１を流れる被測定流体の流量（全流量）Ｑを演算する。そして、流量計測演算回路７０は、計測周期ｔｋ毎に計測演算された流量Ｑを、積算流量演算回路８０及び表示器駆動制御回路９０に対して供給する。
【００６３】
積算流量演算回路８０は、流量計測演算回路７０から計測周期ｔｋ毎に対応して逐次供給される被測定流体の流量Ｑを積算し、流量計本体１０の測定流路２１を流れた被測定流体の積算流量値Ｑｔを演算する。そして、積算流量演算回路８０は、その積算流量値Ｑｔの演算・更新が行われる毎に、演算・更新された被測定流体の積算流量値Ｑｔを表示器駆動制御回路９０に対して供給する。
【００６４】
表示器駆動制御回路９０は、流量計測演算回路７０から逐次供給される被測定流体の流量Ｑや、積算流量演算回路８０から逐次供給される積算流量値Ｑｔを、表示器１００に表示する。
【００６５】
ここで、図示の流量計本体１０の場合は、２つの測定流路２１-１，２１-２を備え、各測定流路２１-ｍ（この場合、ｍ＝１，２）毎に一対の超音波送受信器３０-ｍａ・３０-ｍｂが備えられているため、流量計測演算回路７０は、２つの測定流路２１-１，２１-２それぞれの一対の超音波送受信器３０-ｍａ・３０-ｍｂ（ｍ＝１，２）に対応した計測演算部７１-１，７１-２と、計測演算部７１-１，７１-２それぞれによって計測周期ｔｋ毎に取得された計測流量Ｑ１，Ｑ２を基に測定流路２１-１，２１-２全体を流れる被測定流体の流量Ｑを演算する流量演算部７２とを有する。
【００６６】
さらに、流量計測演算回路７０は、測定流路２１-１，２１-２それぞれを流れる被測定流体の実際の流速Ｖｖや流量Ｑｑに周期的な変動が生じ、その変動周期ｔｈが計測演算部７１-１，７１-２それぞれの計測周期ｔｋに対して偶然に一致したり又は逓倍状態になって同期して、被側流体の流量計測精度が低下するのを防ぐため、計測演算部７１-１，７１-２それぞれの計測周期ｔｋを調整する計測周期調整部７３を有する。
【００６７】
次に、この計測周期調整部７３により行われる、計測演算部７１-ｍ（ｍ＝１，２）の計測周期ｔｋの調整処理と、計測周期調整部７３によって計測周期ｔｋを調整された計測演算部７１-ｍにより行われる、計測周期ｔｋ毎の流量計測処理とを含む、流量計測演算回路７０の流量計測演算処理について、図５に基づいて説明する。
【００６８】
図５は、本実施の形態に係る超音波流量計において行われる流量計測演算処理の実施例のフローチャートである。
【００６９】
流量計測制御回路７０では、計測制御処理の稼働中、測定流路２１-ｍを流れる被測定流体の流量計測演算処理として、ステップＳ１００〜Ｓ１０３，Ｓ１１４，Ｓ１１５〜Ｓ１１６に示した計測周期調整処理が計測周期調整部７３によって行われ、ステップＳ１０４〜Ｓ１１３に示した計測周期ｔｋ毎の流量計測処理が流量計測制御部７１-ｍによって実行される。以下、説明にあたって、ステップＳ１００をＳ１００のように記し、ステップの記載を省略する。
【００７０】
超音波流量計１において、流量計測制御回路７０による流量計測演算処理が実行開始されると、まず、Ｓ１００では、計測周期調整部７３は、流量計測制御部７１-ｍにおける計測周期ｔｋの繰り返し回数、すなわち流量計測制御部７１-ｍによる計測回数を計数するための計測回数カウンタ（サンプリング回数カウンタ）Ｃｓの値ｎを、初期化（ｎ＝１）する。また、予め設定された所定時間ｔｋからなる計測周期ｔｋを計時するための計測周期カウンタＣｔの値ｐを、初期設定（例えば、後述のＳ１０２の関係から、所定時間ｔｋを経過した値）する。
【００７１】
ここで、流量計測制御回路７０による計測制御処理の実行開始とは、例えば、流量計測制御回路７０が起動された状態に該当する。流量計測制御回路７０の起動は、超音波流量計１の電源ＯＮやリセット操作、超音波流量計１に対する図示せぬ上位制御機器からの超音波流量計１に対するリモート制御入力、等に付随して、上位の演算制御装置６０により行われる。
【００７２】
Ｓ１０１では、計測周期調整部７３は、計測回数カウンタＣｓの値ｎが予め設定されている所定値Ｘに達したか否かを確認する。ここで、所定値Ｘは、予め設定された所定の計測周期ｔｋの計時開始をずらす、流量計測回数（サンプリング回数）に該当する。すなわち、Ｓ１００で計測回数カウンタＣｓの値ｎが初期化（ｎ＝１）された処理開始当初、及びその後の計測回数カウンタＣｓの値ｎが所定値Ｘを超えるまでは、計測周期調整部７３は、計測周期ｔｋの計時開始をずらさない。
【００７３】
Ｓ１０２では、計測周期調整部７３は、Ｓ１０１で計測回数カウンタＣｓの値ｎが所定値Ｘに達していないことを確認すると、計測周期カウンタＣｔの値ｐが予め設定されている所定の計測周期ｔｋになったか否かを確認する。
【００７４】
ここで、計測周期ｔｋ、すなわち所定時間ｔｋは、被測定流体の計測流量範囲で、測定流路に対して配置された一対の超音波送受信器間で送信側と受信側とを双方で変更して被測定流体の流れを横切るようにして超音波ビームの送受信を行うために要する時間を基に、予め設定されている。これにより、計測周期調整部７３は、Ｓ１００で計測周期カウンタＣｔの値ｐが所定時間ｔｋを経過した値に初期設定されている処理開始当初以外は、計測周期カウンタＣｔが所定時間ｔｋを計時して次の計測周期ｔｋになるまでは、ステップＳ１０４〜Ｓ１１３に示した計測周期ｔｋ毎の流量計測処理を、流量計測制御部７１-ｍに行わせない。
【００７５】
Ｓ１０３では、計測周期調整部７３は、Ｓ１０２で計測周期ｔｋの周期間隔に該当する所定時間ｔｋが経過したのを確認すると、流量計測制御部７１-ｍに、ステップＳ１０４〜Ｓ１１３に示した計測周期ｔｋ毎の流量計測処理を実行させる。そして、計測周期調整部７３は、計測周期カウンタＣｔの値ｐをリセットして所定時間ｔｋの計時を開始する。
【００７６】
これにより、Ｓ１０４では、流量計測制御部７１-ｍは、被測定流体の現在の流量Ｑｍを新たに計測するため、流量計本体１０の測定流路２１-ｍに設けられた一対の超音波送受信器３０-ｍａ・３０-ｍｂの中の一方、例えば上流側の超音波センサに該当する超音波送受信器３０-ｍａに、超音波ビームを送信させるためのセンサ駆動信号を出力する。
【００７７】
Ｓ１０５では、流量計測制御部７１-ｍは、このセンサ駆動信号の出力、すなわち超音波送受信器３０-ｍａからの超音波ビームの発信と同時に、一対の超音波送受信器３０-ｍａ・３０-ｍｂ間での、被測定流体を介したＶ字反射方式での超音波ビームの伝搬時間Ｔの計測を行う。この超音波信号の伝搬時間Ｔの計測は、例えば、流量計本体１０の測定流路２１-ｍに設けられた一対の超音波送受信器３０-ｍａ・３０-ｍｂの中の一方へのセンサ駆動信号の出力と同時に、超音波ビームの伝搬時間Ｔの計時を開始し、後述の流量計本体１０の測定流路２１-ｍに設けられた一対の超音波送受信器３０-ｍａ・３０-ｍｂの中の他方、例えば下流側の超音波センサに該当する超音波送受信器３０-ｍｂにこの超音波ビームが受信されて、超音波送受信器３０-ｍａから超音波受信信号が入力されるまで、この超音波ビームの伝搬時間Ｔの計時を進めることによって行われる。
【００７８】
Ｓ１０６では、流量計測制御部７１-ｍは、一対の超音波送受信器３０-ｍａ・３０-ｍｂの中の他方、この場合は下流側の超音波センサに該当する超音波送受信器３０-ｍｂからの超音波受信信号が入力されたか否かを監視する。
【００７９】
Ｓ１０７では、流量計測制御部７１-ｍは、超音波送受信器３０-ｍｂからの超音波受信信号が入力されたならば、伝搬時間Ｔの計時を停止し、その際の計時値（経過時間）Ｔを、一対の超音波送受信器３０-ｍａ・３０-ｍｂ間の超音波信号の送受信における一方の超音波伝搬時間、この場合は、上流側の超音波送受信器３０-ｍａから下流側の超音波送受信器３０-ｍｂへの超音波伝搬時間Ｔabとして、その内部メモリに一時的に記憶保持する。
【００８０】
Ｓ１０８では、流量計測制御部７１-ｍは、今度は、一対の超音波送受信器３０-ｍａ・３０-ｍｂの双方間で送信側と受信側とを変更して、一対の超音波送受信器３０-ｍａ・３０-ｍｂの中の他方、この場合は下流側の超音波センサに該当する超音波送受信器３０-ｍｂに、超音波信号を送信させるためのセンサ駆動信号を出力する。
【００８１】
Ｓ１０９では、流量計測制御部７１-ｍは、前述したステップＳ１０５の場合と同様にして、今度は、他方の下流側の超音波センサに該当する超音波送受信器３０-ｍｂから送信された超音波ビームが、一方の上流側の超音波センサに該当する超音波送受信器３０-ｍａによって受信されるまでの、被測定流体を介したＶ字反射方式での超音波信号の伝搬時間Ｔの計測を行う。  
【００８２】
Ｓ１１０では、流量計測制御部７１-ｍは、一対の超音波送受信器３０-１ａ・３０-１ｂの中の一方、この場合は下流側の超音波センサに該当する超音波送受信器３０-ｍａからの超音波受信信号が入力されたか否かを監視する。
【００８３】
Ｓ１１１では、流量計測制御部７１-ｍは、超音波送受信器３０-ｍａからの超音波受信信号が入力されたならば、伝搬時間Ｔの計時を停止し、その際の計時値（経過時間）Ｔを、一対の超音波送受信器３０-ｍａ・３０-ｍｂ間の超音波信号の送受信における他方の超音波伝搬時間、この場合は、下流側の超音波送受信器３０-ｍｂから上流側の超音波送受信器３０-ｍａへの超音波伝播時間Ｔbaとして、その内部メモリに一時的に記憶保持する。
【００８４】
Ｓ１１２では、流量計測制御部７１-ｍは、これら一対の超音波送受信器３０-ｍａ・３０-ｍｂの双方間で送信側と受信側とを変更した、被測定流体を介したＶ字反射方式での超音波信号の送受信によって計測された伝搬時間Ｔab，Ｔbaを基に、流量計本体１０の測定流路２１-ｍを流れる被測定流体の流量（体積流量）Ｑｍを演算する。具体的は、伝搬時間Ｔab，Ｔbaを基に、式(4)で示したように、伝搬時間Ｔab，Ｔbaの逆数差（周波数差）得ることにより、被測定流体の流速Ｖを取得し、この流速Ｖに、式(5)で示したように、測定流路２１-ｍに該当する貫通孔２０の孔断面積（流路断面積）Ａと、補正係数Ｋを乗じることにより、測定流路２１-ｍを流れる被測定流体の体積流量Ｑｍを計測する。
【００８５】
Ｓ１１３では、流量計測制御部７１-ｍは、このようにして計測された、流量計本体１０の測定流路２１-ｍを流れる被測定流体の流量Ｑｍを出力する。また、流量計測制御部７１-ｍは、計測周期調整部７３に対して、Ｓ１０４〜Ｓ１１３に示した計測周期ｔｋ毎の流量計測処理が終了したことも知らせる。
【００８６】
Ｓ１１４では、計測周期調整部７３は、流量計測制御部７１-ｍからの流量計測処理の終了報告を取得すると、Ｓ１０１に戻り、次の計測周期ｔｋに備える。
【００８７】
なお、Ｓ１１３で示した流量Ｑｍの出力に当たっては、本実施の形態に係る超音波流量計１の場合は、図１〜４に示したように、その流量計本体１０は、複数の測定流路２１-１，２１-２を有し、各測定流路２１-ｍ毎に、一対の超音波送受信器３０-ｍａ・３０-ｍｂを備えた構成なので、流量計測制御部７１-ｍは、測定流路２１-ｍを流れる被測定流体の流量Ｑｍとして、流量演算部７２に出力する。
【００８８】
同様に、Ｓ１１４で示した次の計測周期ｔｋに備えるための移行も、全ての測定流路２１-ｍの流量計測制御部７１-ｍ（この場合、２つの流量計測制御部７１-１，２）から流量計測処理の終了が取得できてから、移行することになる。
【００８９】
ところで、上述したＳ１０１で、計測周期調整部７３は、計測回数カウンタＣｓの値ｎが予め設定されている所定値Ｘに達したことを確認すると、流量計測制御部７１-ｍが行うＳ１０４〜Ｓ１１３に示した計測周期ｔｋ毎の流量計測処理のタイミングを、それ以前の計測周期ｔｋ毎の流量計測処理のタイミングに対してずらすため、Ｓ１１５，Ｓ１１６に示した、次のＸ＋１回目の計測周期ｔｋの計時開始タイミングをそれ以前のＸ回目の計測周期ｔｋの計時終了タイミングに対して不連続にするための調整処理を行う。
【００９０】
Ｓ１１５では、計測周期調整部７３は、流量計測制御部７１-ｍにおける計測周期ｔｋの繰り返し回数、すなわち流量計測制御部７１-ｍによる計測回数を計数するための計測回数カウンタ（サンプリング回数カウンタ）Ｃｓの値ｎを、初期化（ｎ＝１）する。
【００９１】
Ｓ１１６では、計測周期調整部７３は、前述したＳ１０２で示したように計測周期カウンタＣｔの値ｐが予め設定されている所定の計測周期ｔｋになったか否かを確認するのに代えて、従前のＳ１０３の処理の実行により計時開始している計測周期カウンタＣｔの値ｐが、計測周期ｔｋよりも長い、所定時間ｔｋ＋αになったか否かを確認する。そして、計測周期調整部７３は、Ｓ１１６で所定時間ｔｋ＋αになったかことを確認すると、それ以前の計測周期ｔｋの場合と同様に、Ｓ１０３で、流量計測制御部７１-ｍに、ステップＳ１０４〜Ｓ１１３に示した計測周期ｔｋ毎の流量計測処理を実行させ、計測周期カウンタＣｔによる計時をリセットスタートし、所定時間ｔｋの計時を開始する。
【００９２】
ここで、所定時間ｔｋ＋αは、予め設定されている所定の計測周期ｔｋにタイミングずらし時間αを加えた時間からなる。このタイミングずらし時間αは、測定流路２１-ｍに対して配置された一対の超音波送受信器３０-ｍａ・３０-ｍｂ間で、被測定流体の計測流量範囲で送信側と受信側とを双方で変更して被測定流体の流れを横切るようにして超音波の送受信を行うのに要する時間を配慮する必要がないので、計測周期ｔｋよりも極めて短い時間単位の値が設定可能である。そこで、タイミングずらし時間αは、その待ち時間を少なくなることから計測周期ｔｋよりも短い値が好ましい。また、被測定流体の実際の流速Ｖｖ若しくは流量Ｑｑの変動周期ｔｈが計測周期ｔｋの逓倍状態になってしまうような場合でも確実に対応できるように、その想定される逓倍状態の変動周期ｔｈに対して同期しない短い値が好ましい。
【００９３】
したがって、図５に示した流量計測演算処理の実施例では、流量計測制御部７１-ｍによって計測周期ｔｋ毎の流量計測処理（Ｓ１０４〜Ｓ１１３）がＸ回連続して行われる毎に、次のＸ回分の流量計測制御部７１-ｍによる計測周期ｔｋ毎の流量計測処理（Ｓ１０４〜Ｓ１１３）は、タイミングずらし時間αだけ間隔をおいて開始されることなる。この結果、超音波流量計１における計測周期ｔｋの繰り返し途中で、計測周期ｔｋの開始タイミングが、計測周期ｔｋをＸ回繰り返す毎に時間αずつ、ずれることになる。
【００９４】
図６は、本実施の形態に係る超音波流量計を、被測定流体の実際の流量が周期的な変動を生じている状態に適用した場合の説明図である。
【００９５】
図６（ａ）は、予め設定された所定の計測周期ｔｋの計時開始をずらす、流量計測回数（サンプリング回数）に該当する所定値Ｘで、被測定流体の実際の流速Ｖｖ若しくは流量Ｑｑの変動周期ｔｈに対して、計測周期ｔｋがずれる様子の説明図である。
【００９６】
図に示すように、計測周期ｔｋが、計測回数を計数するための計測回数カウンタ（サンプリング回数カウンタ）Ｃｓの値ｎが１〜Ｘまでの間である場合は、周期的な変動を生じている状態の被測定流体の実際の流速Ｖｔの値を、その波高値のＶｋ１で取得し、計測回数カウンタＣｓの値ｎがＸ＋１に達して、計測周期ｔｋ毎の流量計測処理が連続してＸ回行われた場合は、タイミングずらし時間αだけ計測周期ｔｋの開始タイミングがずれることにより、この場合は、中間値Ｖｃで取得することができるようになる。
【００９７】
図６（ｂ）は、図６（ａ）に示した計測周期ｔｋのタイミングずれが繰り返される様子の説明図である。
【００９８】
図では、流量計測回数（サンプリング回数）に該当する所定値Ｘを３とした場合を示したもので、計測周期ｔｋを３回繰り返す毎に、計測周期ｔｋのタイミングは、タイミングずらし時間αずつずれていく。
【００９９】
このように、計測周期ｔｋのタイミングを逐次ずらしていくことにより、周期的な変動を生じている状態の被測定流体の実際の流速Ｖｔの、様々な瞬時値を取得することができる。
【０１００】
この結果、例えば、流量計測制御部７１-ｍ、若しくは流量演算部７２において、ＦＩＦＯ（First-In First-Out、先入先出）メモリ等を使用して複数の計測周期分の流量Ｑを蓄えるようにし、流量出力に当たっては、この複数の計測周期分の流量Ｑを平均化したものを出力するようにすれば、被測定流体の流量脈動による流量をより正確に計測することができる。この場合、複数の計測周期分としては、所定値Ｘ以上の値が好ましい。
【０１０１】
本実施の形態に係る超音波流量計１は、以上説明したとおりであるが、測定路の数や、直接又はＶ字状等といった超音波伝搬路の構成を含む、流量計本体の具体的構造や、流量計測制御回路７０における計測周期ｔｋのタイミングをずらす構成については、上記説明したものに限らず、種々の態様が適用可能である。
【符号の説明】
【０１０２】
１  超音波流量計、  １０  流量計本体、  １０ａ，１０ｂ  対向面、
１１  測定管部、  １２  蓋体継手部、  １３  継手蓋体部、
１４  仕切り壁部、  １５  孔部、  １６  フランジ部、
１７  締結部材、  １８  締結孔、  ２０  貫通孔、  ２１  測定流路、
２２  貫通孔、  ２３  貫通孔、  ２４  貫通孔、
５０  被測定流体出入管部、  ５１  出入管部、  ５２，５３  取付開口部、
５４  貫通孔、  ６０  演算制御装置、  ７０  流量計測演算回路、
７１-１，７１-２  計測演算部、  ７２  流量演算部、
７３  計測周期調整部、  ８０  積算流量演算回路、
９０  表示器駆動制御回路、  １００  表示器、
【図１】
2014092466.tif 000007
【図２】
2014092466.tif 000008
【図３】
2014092466.tif 000009
【図４】
2014092466.tif 000010
【図５】
2014092466.tif 000011
【図６】
2014092466.tif 000012
【図７】
2014092466.tif 000013
【図８】
2014092466.tif 000014